(57)【要約】【課題】  原稿に含まれる各ページのページ画像データを取得する際の処理モードを、ユーザが簡易な操作で指定できる画像処理装置を提供する。【解決手段】  デジタル複合機の備える複数の処理モードのうち、デフォルト処理モードとして選択された処理モードをのぞく処理モードのそれぞれについてのページ番号入力ボックスＰ（Ｃ），Ｐ（Ｇ），Ｐ（Ｍ）を表示部に表示する。ユーザは各ページ番号入力ボックスＰ（Ｃ），Ｐ（Ｇ），Ｐ（Ｍ）に、各処理モードによって処理させたいページの番号を入力する。当該入力が受け付けられると、実行モード切換部が、受け付けられたページ番号のページについては、それぞれ指定された処理モードでページ画像データを取得させ、ページ番号入力ボックスＰのいずれにも入力されなかったページ番号のページについては、所定のデフォルト処理モードでページ画像データを取得させる。【選択図】図３
2008271198.tif 000002
【特許請求の範囲】
【請求項１】
原稿に含まれる各ページを読み取ってページ画像データを取得する際の処理モードを複数備える画像処理装置であって、
前記複数の処理モードのうちの少なくとも１以上の処理モードを、当該処理モードの適用対象となるページの選択をユーザの指定に委ねる指定処理モードとし、前記指定処理モードのそれぞれについて、各処理モードによって処理するべきページの指定を受け付けるページ指定受付手段と、
原稿に含まれる少なくとも１以上のページのそれぞれについて、ページ画像データを取得する際の処理モードを切換可能に設定し、前記指定処理モードのいずれかによって処理するべきページとして指定されたページについては、当該指定された処理モードでページ画像データを取得させる処理モード切換手段と、
を備えることを特徴とする画像処理装置。
【請求項２】
請求項１に記載の画像処理装置であって、
前記処理モード切換手段が、
前記複数の処理モードのうちのいずれかの処理モードをデフォルト処理モードとし、前記指定処理モードのいずれかによって処理するべきページとして指定されないページについては、前記デフォルト処理モードでページ画像データを取得させることを特徴とする画像処理装置。
【請求項３】
請求項２に記載の画像処理装置であって、
前記複数の処理モードのうちのいずれを前記デフォルト処理モードとするかを、ユーザからの指示に応じて決定するデフォルト処理モード決定手段、
を備えることを特徴とする画像処理装置。
【請求項４】
請求項１から３のいずれかに記載の画像処理装置であって、
ユーザから与えられた読み取り原稿に含まれるページの全てについてページ画像データを取得したにも拘わらず、前記指定処理モードのいずれかによって処理するべきページとして指定されたページの全てについてページ画像データを取得できていない場合には、前記原稿に含まれる全てのページ画像データを取得できていないとしてジョブを終了すべきでないと判断し、続く原稿が与えられるまで待機するジョブ終了判断手段、
を備えることを特徴とする画像処理装置。
【請求項５】
請求項４に記載の画像処理装置であって、
ユーザから与えられた読み取り原稿に含まれるページの全てについてページ画像データを取得したにも拘わらず、前記指定処理モードのいずれかによって処理するべきページとして指定されたページの全てについてページ画像データを取得できていない場合に、その旨をユーザに報知する報知手段、
を備えることを特徴とする画像処理装置。
【請求項６】
請求項１から３のいずれかに記載の画像処理装置であって、
ユーザから与えられた読み取り原稿に含まれるページの全てについてページ画像データを取得した場合に、ジョブを終了可能と判断するジョブ終了判断手段と、
ユーザから与えられた読み取り原稿に含まれるページの全てについてページ画像データを取得したにも拘わらず、前記指定処理モードのいずれかによって処理するべきページとして指定されたページのいずれかについてページ画像データを取得できていない場合に、当該ページについての指定を無効化する指定無効化手段と、
を備えることを特徴とする画像処理装置。
【発明の詳細な説明】
【技術分野】
【０００１】
原稿に含まれる各ページを読み取ってページ画像データを取得する際の処理モードを複数備える画像処理装置に関する。
【背景技術】
【０００２】
ファクシミリ装置、複写機、プリンタ等の各種の画像処理装置においては、原稿に含まれる各ページを読み取って各ページの画像データ（ページ画像データ）を取得する際の処理モードとして、複数の処理モード（例えば、「カラー」原稿の読み取りに適した処理モードと、「モノクロ」原稿の読み取りに適した処理モードと、「グレー」原稿読み取りに適した処理モードの３つの処理モード）を備えるものがある。
【０００３】
このように複数の処理モードを備える画像処理装置においては、いずれのモードによって処理を実行するかを原稿に応じて決定しなければならない。
【０００４】
処理モードの決定に関して、例えば特許文献１には、原稿に含まれる各ページについて、そのページをいずれの処理モードで読み取るか等の設定を予めユーザに入力させる構成が開示されている。また、特許文献２には、読み取り処理を実行している間に所定のキー（例えば「カラーキー」）がユーザにより操作された場合には、その次のページについては、所定の処理モード（カラーページ用の処理モード）で処理を実行するとの構成が開示されている。
【０００５】
また、色判定機能（すなわち、原稿に含まれる各ページの色を判定する機能、すなわち、ページが、カラーのページ、グレーのページ、モノクロのページのいずれであるかを自動に判定する機能（所謂、ＡＣＳ（Auto Color Selection）機能））を備える装置においては、各ページの色を当該機能により自動に判定し、その判定結果に応じて各ページの読み取り処理を実行する処理モードを決定することもできる。
【０００６】
【特許文献１】特開２０００−２２９６９号公報
【特許文献２】特開平９−１１６７７７号公報
【発明の開示】
【発明が解決しようとする課題】
【０００７】
特許文献１に記載の構成のように、原稿に含まれるページのそれぞれについて、いずれの処理モードで読み取るかをユーザに指定させる構成によると、ユーザは全ページについてのモード指定を行わなければならないため、面倒であった。
【０００８】
また、特許文献２に記載の構成のように、ユーザがキーを操作するタイミングで処理モードを切り換える構成によると、ユーザは原稿の読み取り処理が終了するまで装置から離れることができないので不便であった。また、原稿を、ＡＤＦ（Auto Document Feeder）によって読み取る場合、ＡＤＦの読み取り速度が速ければキーを操作するタイミングも難しく、所望するページを所望する処理モードで読み取らせることができない場合もあった。
【０００９】
さらに、色判定機能によって自動に処理モードを決定する構成によると、ユーザが原稿に含まれるページのそれぞれについて処理モードを指定しなくともよいという利点がある半面、色判定機能によってユーザの所望通りの色判定結果が得られない場合は、ユーザが所望しないモードでページ画像データの取得処理が実行されてしまっていた。
【００１０】
この発明は、このような事情に鑑みてなされたものであって、原稿に含まれる各ページを読み取ってページ画像データを取得する際の処理モードを、ユーザが簡易な操作で指定できる画像処理装置を提供することを目的としている。
【課題を解決するための手段】
【００１１】
請求項１の発明は、原稿に含まれる各ページを読み取ってページ画像データを取得する際の処理モードを複数備える画像処理装置であって、前記複数の処理モードのうちの少なくとも１以上の処理モードを、当該処理モードの適用対象となるページの選択をユーザの指定に委ねる指定処理モードとし、前記指定処理モードのそれぞれについて、各処理モードによって処理するべきページの指定を受け付けるページ指定受付手段と、原稿に含まれる少なくとも１以上のページのそれぞれについて、ページ画像データを取得する際の処理モードを切換可能に設定し、前記指定処理モードのいずれかによって処理するべきページとして指定されたページについては、当該指定された処理モードでページ画像データを取得させる処理モード切換手段と、を備える。
【００１２】
請求項２の発明は、請求項１に記載の画像処理装置であって、前記処理モード切換手段が、前記複数の処理モードのうちのいずれかの処理モードをデフォルト処理モードとし、前記指定処理モードのいずれかによって処理するべきページとして指定されないページについては、前記デフォルト処理モードでページ画像データを取得させる。
【００１３】
請求項３の発明は、請求項２に記載の画像処理装置であって、前記複数の処理モードのうちのいずれを前記デフォルト処理モードとするかを、ユーザからの指示に応じて決定するデフォルト処理モード決定手段、を備える。
【００１４】
請求項４の発明は、請求項１から３のいずれかに記載の画像処理装置であって、ユーザから与えられた読み取り原稿に含まれるページの全てについてページ画像データを取得したにも拘わらず、前記指定処理モードのいずれかによって処理するべきページとして指定されたページの全てについてページ画像データを取得できていない場合には、前記原稿に含まれる全てのページ画像データを取得できていないとしてジョブを終了すべきでないと判断し、続く原稿が与えられるまで待機するジョブ終了判断手段、を備える。
【００１５】
請求項５の発明は、請求項４に記載の画像処理装置であって、ユーザから与えられた読み取り原稿に含まれるページの全てについてページ画像データを取得したにも拘わらず、前記指定処理モードのいずれかによって処理するべきページとして指定されたページの全てについてページ画像データを取得できていない場合に、その旨をユーザに報知する報知手段、を備える。
【００１６】
請求項６の発明は、請求項１から３のいずれかに記載の画像処理装置であって、ユーザから与えられた読み取り原稿に含まれるページの全てについてページ画像データを取得した場合に、ジョブを終了可能と判断するジョブ終了判断手段と、ユーザから与えられた読み取り原稿に含まれるページの全てについてページ画像データを取得したにも拘わらず、前記指定処理モードのいずれかによって処理するべきページとして指定されたページのいずれかについてページ画像データを取得できていない場合に、当該ページについての指定を無効化する指定無効化手段と、を備える。
【発明の効果】
【００１７】
請求項１〜６に記載の発明によれば、複数の処理モードのうちの少なくとも１以上の処理モードを指定処理モードとし、指定処理モードのそれぞれについて、各処理モードによって処理するべきページの指定を受け付けるので、ユーザは原稿に含まれる各ページのページ画像データを取得する際の処理モードを簡易な操作で指定することができる。
【００１８】
特に、請求項２に記載の発明によれば、指定処理モードのいずれかによって処理するべきページとして指定されないページについては、デフォルト処理モードでページ画像データを取得させる。すなわち、デフォルトの処理モードについてはページの指定を行う必要がなく、デフォルト処理モード以外の処理モードで読み取り処理を実行させたいページについてのみページの指定を行えばよいので、ユーザの利便性が高い。
【００１９】
特に、請求項３に記載の発明によれば、複数の処理モードのうちのいずれをデフォルト処理モードとするかを、ユーザからの指示に応じて決定するので、ユーザは、任意の処理モードをデフォルト処理モードに決定することができる。
【００２０】
特に、請求項４，５に記載の発明によれば、指定処理モードのいずれかによって処理するべきページとして指定されたページの全てについてページ画像データを取得できていない場合にはジョブを終了すべきでないと判断して、続く原稿が与えられるまで待機するので、指定されたページのページ画像データを確実に取得することができる。
【００２１】
特に、請求項６に記載の発明によれば、ユーザから与えられた読み取り原稿に含まれるページの全てについてページ画像データを取得したにも拘わらず、指定処理モードのいずれかによって処理するべきページとして指定されたページのいずれかについてページ画像データを取得できていない場合には、当該ページについての指定を無効化するので、速やかに次のジョブに移行することができる。
【発明を実施するための最良の形態】
【００２２】
〔第１の実施の形態〕
〈１．デジタル複合機の構成〉
この発明の第１の実施の形態に相当する画像処理装置の機能が組み込まれたデジタル複合機１の構成について図１を参照しながら説明する。図１は、この発明の実施の形態に係るデジタル複合機１の構成を示すブロック図である。
【００２３】
デジタル複合機１は、ＦＡＸ機能、コピー機能、スキャン機能、プリント機能などの複数の機能を有する複合機（ＭＦＰ装置）として構成されている。デジタル複合機１は、制御部１１と、ＲＯＭ１２と、ＲＡＭ１３と、操作部１４と、表示部１５と、画像読取部１６と、画像処理部１７と、画像記録部１８と、入力画像メモリ１９と、出力画像メモリ２０と、色判定部２１と、大容量蓄積部２２と、通信関係の機能部２３〜２６とを、バスライン２７を介して電気的に接続した構成となっている。
【００２４】
制御部１１は、ＣＰＵで構成されている。制御部１１は、ＲＯＭ１２に記憶されたプログラムに基づいて上記のハードウエア各部を制御し、デジタル複合機１の機能を実現する。
【００２５】
ＲＯＭ１２は、デジタル複合機１の制御に必要なプログラムやデータを予め格納した読み出し専用の記憶装置である。
【００２６】
ＲＡＭ１３は、読み出しと書き込みとが可能な記憶装置であり、画像データ、ＦＡＸ番号、メールアドレスなどの一時的に蓄積される諸データや、継続的に保持すべき各種のデータ、制御部１１による演算処理の際に発生するデータなどを記憶する。ＲＡＭ１３はＳＲＡＭなどで構成される。
【００２７】
操作部１４は、文字キー、テンキー、ファンクションキーなどの各種キーによって構成され、コマンドやテキストデータの入力といったユーザ操作を受け付ける。操作部１４が受けたユーザ操作は信号として制御部１１に入力される。制御部１１はユーザ操作に基づいて各部の動作を制御する。
【００２８】
表示部１５は、デジタル複合機１の動作状態や、画像データなどを表示する表示装置であり、液晶ディスプレイなどの表示装置により構成される。なお、操作部１４に設けられる各種のキーは、この表示部１５のディスプレイ画面上に設けたタッチパネルによって実現されてもよい。
【００２９】
画像読取部１６は、原稿上の画像を読取素子（ＣＣＤラインセンサ１６１）によって読み取るスキャナーである。画像読取部１６は、ガラス台上に載置された原稿の表面を読取素子が走査して画像を読み取るタイプ（ＦＢＳ（Flat Bed Scanner）方式）のスキャナーであってもよく、原稿の載置台（図示省略）に載置された原稿を、ＡＤＦ（Auto Document Feeder）によって搬送し、搬送される原稿の表面を静止した読取素子によって走査して画像を読み取るタイプ（ＡＤＦ方式）のスキャナーであってもよい。また、ＡＤＦ方式には、移動する原稿を静止した読取光学系で読み取る方式（シートスルー方式）と、静止した原稿を移動する読取光学系で読み取る方式とがあるが、いずれの方式であってもよい。後者の方式を採用する場合、画像読取部１６は、コンタクトガラス上に原稿を静止させ、移動する読取光学系で静止した原稿を読み取り、読み取りが完了した原稿を排出するという読み取り手順を繰り返し実行する。
【００３０】
ＣＣＤラインセンサ１６１は、所定の走査速度（原稿と読取光学系との相対移動速度）で原稿を走査する読取光学系から導かれた光を受光して、一定の周期で読み取りを繰り返すことにより、ＲＧＢ色空間で表現された画像データ、すなわち、Ｒ（赤），Ｇ（緑），Ｂ（青）の色成分データを有する画像データ（ＲＧＢ画像データ）を生成する。なお、読取光学系の走査速度は、ＣＣＤラインセンサ１６１が生成する画像データの解像度（より具体的には、副走査方向の解像度）に基づいて設定する。すなわち、副走査方向の解像度が高くなるほど、読取光学系の走査速度を遅く設定し、副走査方向の解像度が低くなるほど、読取光学系の走査速度を速く設定する。
【００３１】
画像処理部１７は、受信された画像データや、画像読取部１６から取得した画像データに種々の画像処理を行う処理部である。例えば、Ａ／Ｄ変換、各種の補正処理（例えば、シェーディング補正やガンマ補正）、表色系の変換処理（例えば、行列変換によって、ＲＧＢ表色系の画像データをＹＣｂＣｒ表色系の画像データに変換する処理）、色調整、画像の合成などといった画像処理を行う。なお、画像処理部１７は、ＲＯＭ１２に格納されたプログラムによってソフトウェア的に実現されてもよい。
【００３２】
画像記録部１８は、出力画像メモリ２０に格納された画像データ等を記録紙上へ記録するプリンタである。画像記録部１８には、例えば、電子写真方式のプリンタを採用することができる。
【００３３】
入力画像メモリ１９は、ＬＡＮＩ／Ｆ２５やＮＣＵ２６を通じて外部装置３０，３３，３５から受信した画像データ、画像読取部１６において取得された画像データ、画像処理部１７において処理された画像データ等を、一時的に記憶するための記憶装置である。入力画像メモリ１９は、読み出しと書き込みとが可能なＤＲＡＭ等のメモリにより構成される。
【００３４】
出力画像メモリ２０は、出力に用いる画像データを記憶するための記憶装置である。ただしここでいう「出力」には、例えば、画像記録部１８によるプリント出力、通信回線を介して接続された外部端末に対する送信処理等が含まれる。出力画像メモリ２０は、読み出しと書き込みとが可能なＤＲＡＭ等のメモリにより構成される。
【００３５】
色判定部２１は、多階調の画像データ（例えば、画像読取部１６が読み取った原稿の画像データ）の色を自動に判定する色判定機能（所謂、ＡＣＳ機能）を実現する。より具体的には、プレスキャン（すなわち、各ページのページ画像データを取得するべく原稿を読み取る前に、色判定のために原稿を粗く読み取る処理）によって多階調の画像データを取得し、当該画像データに含まれる画素データの色成分を解析することによってページの色を判定する。なお、色判定部２１は、ＲＯＭ１２に格納されたプログラムによってソフトウェア的に実現されてもよい。
【００３６】
大容量蓄積部２２は、ハードディスクなどにより構成される。大容量蓄積部２２は、画像読取部１６により処理された画像データを蓄積することができる。
【００３７】
さらにこのデジタル複合機１には、通信関係の機能部として、画像データ等を複数のプロトコルに対応して符号化/復号化するコーデック（ＣＯＤＥＣ）２３と、送受信データの変調および復調を行うモデム２４と、ＬＡＮ（ローカルエリアネットワーク）２８とのインターフェイスに相当するＬＡＮＩ／Ｆ２５と、電話回線の開閉制御を行うＮＣＵ２６とが、バスライン２７を介して電気的に接続した構成となっている。
【００３８】
なお、ＣＯＤＥＣ２３による符号化としては、２値データを符号化する場合には、ＭＨ（Modified Huffman）、ＭＲ（Modified Read）、ＭＭＲ（Modified MR）、および、ＪＢＩＧ（Joint Bi-level Image experts Group）のいずれかの方式が採用される。なお、ＣＯＤＥＣ２３は、多値データの符号化も行う。多値データの符号化は、例えばＪＰＥＧ方式にて行う。
【００３９】
次に、このデジタル複合機１の通信環境について説明する。デジタル複合機１は、ＬＡＮ２８と接続されている。ＬＡＮ２８にはメールサーバ２９や外部端末３０などが接続されている。また、ＬＡＮ２８は、ルータ３１などを介してインターネット３２に接続されている。このような構成によって、デジタル複合機１は、ＬＡＮ２８を介して接続された外部端末３０や、インターネット３２を介して接続された外部端末３３と電子メール通信などを行うことができる。さらに、デジタル複合機１は、アナログ回線用のデータ通信ネットワークであるＰＳＴＮ（公衆交換電話網）３４と接続されている。これによって、デジタル複合機１はＰＳＴＮ３４を介して接続された外部端末３５との通信を行うことができる。外部端末３０，３３，３５は、モデム接続されたパソコン、デジタル複合機１と同様の装置、固定電話、携帯電話、ＦＡＸ専用機、等である。
【００４０】
〈２．画像データの処理モード〉
デジタル複合機１は、原稿に含まれる各ページを読み取ってページ画像データを取得する際の処理モードとして、カラー処理モードｍＣと、モノクロ処理モードｍＭと、グレー処理モードｍＧと自動判定処理モードｍＡとを備えている。
【００４１】
〈i．カラー処理モード〉
カラー処理モードｍＣにおいては次の処理によってページ画像データが取得される。まず、画像読取部１６が、ページを読み取って多階調のＲＧＢ画像データを取得する。そして、画像処理部１７が、画像読取部１６が取得したＲＧＢ画像データを、多階調のＹＣｂＣｒ画像データ（ＹＣｂＣｒ色空間で表現されたカラーの画像データ）に変換する。得られたＹＣｂＣｒ画像データは、入力画像メモリ１９に記憶される。続いて、ＣＯＤＥＣ２２が、入力画像メモリ１９に記憶された多階調のＹＣｂＣｒ画像データを、ＪＰＥＧ方式等で圧縮してカラーのページ画像データを取得して出力画像メモリ２０に格納する。カラー処理モードｍＣは、カラーのページを読み取ってページ画像データを取得するのに適している。
【００４２】
〈ii．モノクロ処理モード〉
モノクロ処理モードｍＭにおいては次の処理によってページ画像データが取得される。まず、画像読取部１６が、ページを読み取って多階調のＲＧＢ画像データを取得する。そして、画像処理部１７が、画像読取部１６が取得したＲＧＢ画像データを、多階調のＹＣｂＣｒ画像データに変換する。得られたＹＣｂＣｒ画像データは、入力画像メモリ１９に記憶される。続いて、画像処理部１７が、入力画像メモリ１９に記憶された多階調のＹＣｂＣｒ画像データのカラー情報を破棄するとともに、輝度成分を単純二値化法等を用いて二値化する。そして、ＣＯＤＥＣ２２が、得られたＹＣｂＣｒ画像データの輝度成分をＭＭＲ方式等で圧縮してモノクロのページ画像データを取得して、出力画像メモリ２０に格納する。モノクロ処理モードｍＭは、モノクロのページを読み取ってページ画像データを取得するのに適している。
【００４３】
〈iii．グレー処理モード〉
グレー処理モードｍＧにおいては次の処理によってページ画像データが取得される。まず、画像読取部１６が、ページを読み取って多階調のＲＧＢ画像データを取得する。そして、画像処理部１７が、画像読取部１６が取得したＲＧＢ画像データを、多階調のＹＣｂＣｒ画像データに変換する。得られたＹＣｂＣｒ画像データは、入力画像メモリ１９に記憶される。続いて、画像処理部１７が、入力画像メモリ１９に記憶された多階調のＹＣｂＣｒ画像データのカラー情報を破棄するとともに、輝度成分を誤差拡散法や組織的ディザ法等を用いて二値化する。そして、ＣＯＤＥＣ２２が、得られたＹＣｂＣｒ画像データの輝度成分をＭＭＲ方式等で圧縮してグレーのページ画像データを取得して、出力画像メモリ２０に格納する。グレー処理モードｍＧは、グレーのページを読み取ってページ画像データを取得するのに適している。
【００４４】
〈iv．自動判定処理モード〉
自動判定処理モードｍＡにおいては次の処理によってページ画像データが取得される。まず、色判定部２１が、ページを読み取ってページ画像データを取得する前に、ページの色属性を判定する。すなわち、ページが「カラー」「モノクロ」「グレー」のいずれであるかを判定する。色判定部２１によってページの色属性が「カラー」と判定された場合、当該ページを読み取ってカラーのページ画像データを取得する（この場合の具体的な処理は、カラー処理モードｍＣにおいて実行される一連の処理と同様である）。一方、色判定部２１によってページの色属性が「モノクロ」と判定された場合、当該ページを読み取ってモノクロのページ画像データを取得する（この場合の具体的な処理は、モノクロ処理モードｍＭにおいて実行される一連の処理と同様である）。一方、色判定部２１によってページの色属性が「グレー」と判定された場合、当該ページを読み取ってグレーのページ画像データを取得する（この場合の具体的な処理は、グレー処理モードｍＧにおいて実行される一連の処理と同様である）。
【００４５】
〈３．モードの決定に関する構成〉
上述の通り、デジタル複合機１は、原稿に含まれる各ページを読み取ってページ画像データを取得する際の処理モードを複数備えている。デジタル複合機１は、いずれの処理モードで原稿に含まれる各ページの読み取り処理を実行するかを、ユーザに指定させる機能（モード別ページ指定機能）を有している。
【００４６】
モード別ページ指定機能について、図２を参照しながら説明する。図２は、モード別ページ指定機能に関する構成を示すブロック図である。デジタル複合機１は、モード別ページ指定機能に関する構成として、ページ指定受付部１０１と、デフォルトモード決定部１０２と、実行モード切換部１０３と、ジョブ終了判断部１０４と、報知部１０５とを備える。なお、これら各機能部は、制御部１１がプログラムを実行することにより実現される構成要素である。
【００４７】
ページ指定受付部１０１は、複数の処理モードｍＣ，ｍＭ，ｍＧ，ｍＡのうち、後述する「デフォルト処理モード」として選択された処理モードをのぞく処理モードを、当該処理モードの適用対象となるページの選択をユーザの指定に委ねる処理モード（以下において「指定処理モード」という）とし、指定処理モードのそれぞれについて、各処理モードによって処理するべきページのページ番号指定を受け付ける。
【００４８】
例えば、デフォルト処理モードとして自動判定処理モードｍＡが選択されている場合、カラー処理モードｍＣ、モノクロ処理モードｍＭ、グレー処理モードｍＧの３つの処理モードが指定処理モードとなり、ページ指定受付部１０１は、これら各処理モードｍＣ，ｍＧ，ｍＭのそれぞれについてページ番号の指定を受け付ける。
【００４９】
なお、デフォルト処理モードとして選択された処理モード以外の処理モードの全てを指定処理モードとしなくてもよい。すなわち、デフォルト処理モード以外の処理モードのうちから選択した特定の処理モードのみを指定処理モードとしてもよい。
【００５０】
ページ指定受付部１０１は、入力画面表示処理部１０１１と、ページ情報取得部１０１２とを備える。
【００５１】
入力画面表示処理部１０１１は、指定処理モードのそれぞれについて、各処理モードによって処理するべきページの指定をユーザから受け付ける受付画面（以下において「ページ番号入力画面Ｅ」という）を、表示部１５に表示させる。
【００５２】
ページ番号入力画面Ｅについて、図３を参照しながら説明する。図３は、ページ番号入力画面Ｅの構成例を示す図である。
【００５３】
ページ番号入力画面Ｅには、指定処理モードのそれぞれについてのページ番号入力ボックスＰが配置される。例えば、指定処理モードとされている処理モードが、カラー処理モードｍＣ、グレー処理モードｍＧおよびモノクロ処理モードｍＭである場合、図３に示すように、カラー処理モードｍＣで処理するべきページ番号の入力を受け付けるページ番号入力ボックスＰ（Ｃ）と、グレー処理モードｍＧで処理するべきページ番号の入力を受け付けるページ番号入力ボックスＰ（Ｇ）と、モノクロ処理モードｍＭで処理するべきページ番号の入力を受け付けるページ番号入力ボックスＰ（Ｍ）とがページ番号入力画面Ｅに配置されることになる。ページ番号入力ボックスＰに対するページ番号の入力は、操作部１４のテンキーなどによって、ページ番号を指定入力することによって、もしくは、ページ範囲を指定入力することによってなされる。
【００５４】
例えば、原稿中の１〜３ページおよび６ページのページ画像データをカラー処理モードｍＣで取得させたい場合、ユーザは、操作部１４を介して、ページ番号入力ボックスＰ（Ｃ）に、ページ範囲「１−３」およびページ番号「６」を入力すればよい（図３参照）。
【００５５】
再び図２を参照する。ページ番号情報取得部１０１２は、指定処理モードのそれぞれについて、各処理モードによって処理するべきページ番号の指定を受け付ける。より具体的には、ユーザが所定の原稿読み取り開始の指示を入力すると、ページ番号入力画面Ｅ上のページ番号入力ボックスＰのそれぞれに入力されたページ番号を読み込み、指定処理モードのそれぞれによって処理するべきページの番号として受け付ける。また、ページ番号入力ボックスＰのいずれにも入力されていないページ番号を、デフォルト処理モードによって処理するべきページの番号として受け付ける。
【００５６】
例えば、図３に示すように、ページ番号入力ボックスＰ（Ｃ）にページ番号「１−３，６」が、ページ番号入力ボックスＰ（Ｍ）にページ号「４」が、それぞれ入力されている場合、ページ番号情報取得部１０１２は、ページ番号「１」「２」「３」「６」をカラー処理モードｍＣによって処理するべきページの番号として受け付け、ページ番号「４」をモノクロ処理モードｍＭによって処理するべきページの番号として受け付ける。さらに、いずれのページ番号入力ボックスＰにも入力されていないページ番号（すなわち、ページ番号「５」およびページ番号「７」「８」「９」・・・）を、デフォルト処理モードによって処理するべきページの番号として受け付ける。
【００５７】
なお、以下において、ページ番号入力ボックスＰのいずれかに入力されたページ番号のページ（すなわち、指定処理モードのいずれかによって処理するべきページとして受け付けられたページであり、上記の例では「１」ページ、「２」ページ、「３」ページ、「４」ページおよび「６」ページ）を「積極指定ページ」という。また、入力されなかったページ（すなわち、デフォルト処理モードによって処理するべきページとして受け付けられたページであり、上記の例では「５」ページおよび「７」ページ以降のページ）を「消極指定ページ」という。
【００５８】
デフォルトモード決定部１０２は、ユーザからの指示に応じて、複数の処理モードｍＣ，ｍＭ，ｍＧ，ｍＡのうちのいずれかの処理モードをデフォルト処理モードとして決定する。ユーザは、例えば、機器設定画面（図示省略）から、複数の処理モードｍＣ，ｍＭ，ｍＧ，ｍＡのうちのいずれの処理モードをデフォルト処理モードとして設定するかを入力することができるものとする。
【００５９】
実行モード切換部１０３は、原稿に含まれる少なくとも１以上のページのそれぞれについて、ページ画像データを取得する際の処理モードを切換可能に設定し、積極指定ページについては、指定処理モードのうちの指定された処理モードでページ画像データを取得させる。また、消極指定ページについては、デフォルト処理モードでページ画像データを取得させる。
【００６０】
例えば、ページ指定受付部１０１が、ページ番号「１」「２」「３」「６」をカラー処理モードｍＣによって処理するべきページ番号として受け付け、ページ番号「４」をモノクロ処理モードｍＭによって処理するべきページ番号として受け付けている場合について説明する。この場合、実行モード切換部１０３は、第１〜３ページのページ画像データをカラー処理モードｍＣにて取得させる。そして、続く第４ページのページ画像データをモノクロ処理モードｍＭにて取得させる。そして、続く第５ページのページ画像データをデフォルト処理モード（この例では、自動判定処理モードｍＡ）にて取得させる。そして、続く第６ページのページ画像データをカラー処理モードｍＣにて取得させる。そして、第７ページ以降のページ画像データをデフォルト処理モードにて取得させる。
【００６１】
ジョブ終了判断部１０４は、ジョブ（すなわち、原稿に含まれる全てのページのページ画像データを取得する処理動作）を終了可能か否かを判断する。ジョブ終了判断部１０４は、ユーザにより原稿載置台にセットされた原稿の全てのページについてのページ画像データの取得処理が終了した時点において、積極指定ページの全てについてページ画像データが取得されている場合は、ジョブを終了可能と判断する。一方、積極指定ページの全てについてページ画像データが取得されていない場合は、原稿に含まれる全てのページのページ画像データを取得できていない（すなわち、まだ読み込むべきページが存在する）とみなして、ジョブを終了すべきでないと判断する。この場合、ユーザが続きの原稿を原稿載置台（もしくは、ガラス台上）にセットするまで待機する。
【００６２】
例えば、ページ指定受付部１０１が積極指定ページとして受け付けたページ番号が「１０」である場合について説明する。
【００６３】
ユーザにより原稿載置台にセットされた原稿が１０枚以上（例えば「１１枚」）の場合、当該１１枚の原稿についてのページ画像データの取得処理が終了した時点において、積極指定ページ「１０」についてページ画像データが取得されている。この場合ジョブ終了判断部１０４は、ジョブを終了可能と判断する。
【００６４】
一方、ユーザにより原稿載置台にセットされた原稿が１０枚未満（例えば「８枚」）の場合、当該８枚の原稿についてのページ画像データの取得処理が終了した時点において、積極指定ページ「１０」についてページ画像データが取得されていない。この場合ジョブ終了判断部１０４は、ジョブを終了すべきでないと判断して、ユーザが続きの原稿を原稿載置台等にセットするまで待機する。原稿載置台等に続く原稿がセットされると、当該原稿を先にセットされた原稿と同一のジョブとして（すなわち、原稿の第９ページ目とみなして）、ページ画像データの取得処理を続行する。
【００６５】
報知部１０５は、ユーザにより原稿載置台にセットされた原稿の全てのページについてのページ画像データの取得処理が終了したにも拘わらず、積極指定ページの全てについてページ画像データが取得できていない場合に、その旨をユーザに報知して、続きの原稿（次原稿）をセットするように促す。例えば、当該旨をユーザに報知するメッセージ（例えば、「次原稿をセットしてください。」とのメッセージ）を表示した報知画面を表示部１５に表示させる（当該メッセージを音声により出力してもよい）。報知画面を見た（もしくは、音声メッセージを聞いた）ユーザは、続く原稿をセットする等の適切な操作を行うことができる。
【００６６】
〈４．原稿の画像データの取得処理に関する処理動作〉
デジタル複合機１が、原稿に含まれる各ページのページ画像データを取得する処理動作について図４を参照しながら説明する。図４はページ画像データを取得する処理動作の流れを示す図である。
【００６７】
ユーザが原稿載置台に原稿をセットすると、入力画面表示処理部１０１１がページ番号入力画面Ｅ（図３参照）を表示部１５に表示させる（ステップＳ１）。すなわち、指定処理モードのそれぞれについてのページ番号入力ボックスＰを表示部１５に表示させる。なお、原稿載置台に原稿がセットされる度毎にページ番号入力画面Ｅを表示させるのではなく、ユーザがモード別ページ指定機能を能動化させる旨の指示を入力した場合に、当該指示に応じてページ番号入力画面Ｅを表示部１５に表示させる構成としてもよい。
【００６８】
ユーザがページ番号入力画面Ｅ上のページ番号入力ボックスＰのそれぞれに所望のページ番号を入力し、さらに所定の原稿読み取り開始の指示を入力すると、ページ番号情報取得部１０１２が各処理モードにて処理すべきページの番号を受け付ける（ステップＳ２）。すなわち、ページ番号入力ボックスＰのそれぞれに入力されたページ番号を指定処理モードのそれぞれによって処理するべきページの番号として受け付ける。また、ページ番号入力ボックスＰのいずれにも入力されていないページ番号を、デフォルト処理モードによって処理するべきページの番号として受け付ける。なお、ユーザは、例えば、ページ番号入力画面Ｅにおいてタッチパネルにより実現されるスタートキーＱ（図３参照）（スタートキーＱは、操作部１４のハードキーにより実現されてもよい）を操作することによって原稿読み取り開始の指示を入力することができる。
【００６９】
続いて、実行モード切換部１０３が、ページ毎に処理モードを切り換えながら、ステップＳ１で原稿載置台にセットされた原稿に含まれる各ページのページ画像データを取得させる（ステップＳ３）。すなわち、積極指定ページについては、指定処理モードのうちの指定された処理モードでページ画像データを取得させる。また、消極指定ページについては、デフォルト処理モードでページ画像データを取得させる。
【００７０】
原稿載置台にセットされた原稿に含まれる全てのページのページ画像データが取得されると、ジョブ終了判断部１０４が、積極指定ページの全てについてページ画像データが取得されているか否かを判断する（ステップＳ４）。
【００７１】
ステップＳ４で積極指定ページの全てについてページ画像データが取得されていないと判断した場合、ジョブ完了判断部１０４はジョブを終了すべきでないと判断する。この場合、報知部１０５が、その旨をユーザに報知して、次原稿をセットするように促す（ステップＳ５）。例えば、「次原稿をセットしてください。」とのメッセージを表示した報知画面を表示部１５に表示させる。
【００７２】
続いて、ジョブ終了判断部１０４は、原稿載置台（もしくは、ガラス台）に続きの原稿がセットされたか否かを判断する（ステップＳ６）。
【００７３】
ステップＳ６で原稿載置台等に続きの原稿がセットされたと判断された場合、実行モード切換部１０３が、ページ毎に処理モードを切り換えながら、ステップＳ６で原稿載置台にセットされた続きの原稿に含まれる各ページのページ画像データを取得させる（ステップＳ７）。ステップＳ７の処理が完了すると、再びステップＳ４の判断処理に戻る。
【００７４】
ステップＳ４で積極指定ページの全てについてページ画像データが取得されていると判断した場合、ジョブ終了判断部１０４はジョブを終了可能と判断し、一連の処理を終了する。
【００７５】
〈５．効果〉
上記の実施の形態に係るデジタル複合機１によると、ページ指定受付部１０１が、指定処理モードのそれぞれについて、各処理モードによって処理するべきページ番号の指定を受け付けるので、ユーザは原稿に含まれる各ページの画像データを取得する際の処理モードを簡易な操作で指定することができる。
【００７６】
また、積極的に指定されないページについては、デフォルト処理モードでページ画像データを取得する。すなわち、デフォルト処理モードで画像データを取得するページについてはページ番号の指定を行う必要がない。したがって、ユーザは、デフォルト処理モード以外の特定の処理モードで読み取り処理を実行させたいページについてのみページの指定を行えばよい。
【００７７】
また、デフォルトモード決定部１０２が、ユーザからの指示に応じて、複数の処理モードｍＣ，ｍＭ，ｍＧ，ｍＡのうちのいずれかの処理モードをデフォルト処理モードに決定する。すなわち、ユーザはデフォルト処理モードを任意に選択することができる。
【００７８】
また、ジョブ終了判断部１０４が、積極指定ページの全てについてページ画像データが取得されるまでジョブを終了しないので、ユーザによって指定されたページのページ画像データを確実に取得することができる。
【００７９】
〔第２の実施の形態〕
この発明の第２の実施の形態に相当する画像処理装置の機能が組み込まれたデジタル複合機２の構成について説明する。なお、以下においては、第１の実施の形態と相違する点を説明し、相違しない点については説明を省略する。また、同じ構成部を示す際には、第１の実施の形態の説明で用いた参照符号を用いる。
【００８０】
〈１．デジタル複合機の構成〉
この実施の形態に係るデジタル複合機２は、第１の実施の形態に係るデジタル複合機１と同様のハードウェア構成を有している（図１参照）。また、デジタル複合機１と同様の通信環境におかれている（図１参照）。
【００８１】
〈２．モードの決定に関する構成〉
デジタル複合機２は、デジタル複合機１と同様、原稿に含まれる各ページを読み取ってページ画像データを取得する際の処理モードを複数備えている。また、モード別ページ指定機能を有している。
【００８２】
モード別ページ指定機能について、図５を参照しながら説明する。図５は、モード別ページ指定機能に関する構成を示すブロック図である。デジタル複合機２は、モード別ページ指定機能に関する構成として、ページ指定受付部２０１と、デフォルトモード決定部２０２と、実行モード切換部２０３と、ジョブ終了判断部２０４と、ページ指定無効化部２０５とを備える。なお、これら各機能部は、制御部１１がプログラムを実行することにより実現される構成要素である。ページ指定受付部２０１、デフォルトモード決定部２０２、実行モード切換部２０３は、それぞれ上述したページ指定受付部１０１、デフォルトモード決定部１０２、実行モード切換部１０３と同様であるのでその説明を省略する。
【００８３】
ジョブ終了判断部２０４は、ジョブを終了可能か否かを判断する。ジョブ終了判断部２０４は、ユーザにより原稿載置台にセットされた原稿の全てのページについてのページ画像データの取得処理が終了した時点において、ジョブを終了可能と判断する。
【００８４】
ページ指定無効化部２０５は、ユーザにより原稿載置台にセットされた原稿の全てのページについてのページ画像データの取得処理が終了した時点において、積極指定ページの全てについてページ画像データが取得されていない場合に、ページ画像データが取得できていないページについてなされた処理モード指定を無効化する。
【００８５】
例えば、ページ指定受付部２０１が積極指定ページとして受け付けたページ番号が「１０」である場合において、ユーザにより原稿載置台にセットされた原稿が１０枚未満（例えば「８枚」）の場合、当該８枚の原稿についてのページ画像データの取得処理が終了した時点において、積極指定ページ「１０」について画像データが取得されていない。この場合ページ指定無効化部２０５は、ページ画像データが取得されていないページ「１０」についてなされた処理モード指定を無効化する。
【００８６】
〈３．原稿の画像データの取得処理に関する処理動作〉
デジタル複合機２が、原稿に含まれる各ページのページ画像データを取得する処理動作について図６を参照しながら説明する。図６はページ画像データを取得する処理動作の流れを示す図である。
【００８７】
ステップＳ２１〜ステップＳ２３の処理は上述したステップＳ１〜ステップＳ３の処理と同様である（図４参照）。
【００８８】
原稿載置台にセットされた原稿に含まれる全てのページのページ画像データが取得されると、ジョブ終了判断部２０４が、ジョブを終了可能と判断する。この場合、ページ指定無効化部２０５が、積極指定ページの全てについてページ画像データが取得されているか否かを判断する（ステップＳ２４）。
【００８９】
ステップＳ２４で積極指定ページの全てについてページ画像データが取得されていないと判断された場合、ページ指定無効化部２０５が、当該ページ画像データが取得できていないページについてなされた処理モード指定を無効化する（ステップＳ２５）。以上で一連の処理が終了する。
【００９０】
〈４．効果〉
上記の実施の形態によると、積極指定ページが読み取り原稿に含まれていない場合には、当該指定を無効とするので、速やかに次のジョブに移行することができる。
【００９１】
〔変形例〕
上記の第１の実施の形態に係るジョブ終了判断部１０４は、ジョブを終了可能か否かの判断を以下のように行ってもよい。すなわち、次原稿が存在することがユーザによって宣言されている場合（例えば、原稿の読み取り中に、ユーザに次原稿が存在するか否かを問い合わせ、当該問い合わせに応じてユーザが次原稿が存在する旨を入力した場合）には、積極指定ページの全てについて画像データが取得されるまでジョブを終了できないと判断する。一方、次原稿が存在する旨の宣言がユーザによってなされていない場合には、積極指定ページの全てについて画像データが取得されていなくとも、ユーザにより原稿載置台にセットされた原稿の全てのページについてのページ画像データの取得処理が終了した時点においてジョブを終了可能と判断する。
【００９２】
また、上記の各実施の形態においては、デジタル複合機１，２は、ページ画像データを取得する際の処理モードとして４つ処理モードｍＣ，ｍＭ，ｍＧ，ｍＡを備える構成としたが、少なくとも２以上の処理モードを備えればよい。
【００９３】
また、上記の各実施の形態においては、モード別ページ指定機能に関する各機能部１０１〜１０５，２０１〜２０５は、制御部１１がプログラムを実行することにより実現される構成要素であるとしたが、回路的（ハードウェア的）に実現されてもよい。
【図面の簡単な説明】
【００９４】
【図１】この発明の実施の形態に係るデジタル複合機の構成を示すブロック図である。
【図２】モード別ページ指定機能に関する構成を示すブロック図である。
【図３】ページ番号入力画面の構成例を示す図である。
【図４】ページ画像データを取得する処理動作の流れを示す図である。
【図５】モード別ページ指定機能に関する構成を示すブロック図である。
【図６】ページ画像データを取得する処理動作の流れを示す図である。
【符号の説明】
【００９５】
１、２  デジタル複合機
１４  操作部
１５  表示部
１６  画像読取部
１７  画像処理部
１８  画像記録部
１０１，２０１  ページ指定受付部
１０２，２０２  デフォルトモード決定部
１０３，２０３  実行モード切換部
１０４，２０４  ジョブ終了判断部
１０５  報知部
２０５  ページ指定無効化部
１０１１  入力画面表示処理部
１０１２  ページ情報取得部
Ｅ  ページ番号入力画面Ｅ
Ｐ  ページ番号入力ボックス
ｍＣ  カラー処理モード
ｍＭ  モノクロ処理モード
ｍＧ  グレー処理モード
【図１】
2008271198.tif 000003
【図２】
2008271198.tif 000004
【図３】
2008271198.tif 000005
【図４】
2008271198.tif 000006
【図５】
2008271198.tif 000007
【図６】
2008271198.tif 000008